(57)【要約】      （修正有）【課題】ワンタッチ操作で、天板の任意の縁部にスムーズに、安定的に装着でき、袋支持部を旋回でき、取付部の構成がシンプルで、弾発スプリングを脚筒材内に隠せ、外観上の体裁が良く、構成簡素で、量産に適し、経済的で、耐久性に優れ、取扱いが簡単で、より使い勝手の優れた着脱式簡易屑入れを提供する。【解決手段】天板等の縁部に着脱自在に装着できると共に、屑入れ袋Ｂを着脱自在に装着できるよう形成し、ガイド脚部１ａの上部に挟持部１ｂを設け、ガイド脚部１ａは、脚筒材２と弾発スプリングとを備え、挟持部１ｂは、脚筒材２の上端部に固着する固定挟持片６と、脚筒材２の長手方向に沿って摺動自在で、弾発スプリングによって固定挟持片６に常時接近する摺動挟持片８とを備え、固定挟持片６と摺動挟持片８で天板等を挟圧できるよう形成し、袋支持部Ａ２を脚筒材２に旋回自在に装着する。【選択図】図２
0003130815.tif 000002
【実用新案登録請求の範囲】
【請求項１】
屑入れ本体の取付部によってテーブルや机の天板等の縁部を上下から挟圧することで、天板等に着脱自在に装着できるよう形成され、且つ屑入れ本体の袋支持部によってレジ袋等を利用した屑入れ袋を着脱自在に装着できるよう形成された着脱式簡易屑入れであって、前記取付部は、ガイド脚部の上部に挟持部を設けて構成され、ガイド脚部は、脚筒材と、この脚筒材に内装される弾発スプリングとを備え、挟持部は、脚筒材の上端部に固着される固定挟持片と、長手方向に沿って摺動自在となるよう脚筒材に装着されると共に、弾発スプリングによって固定挟持片に常時接近するように弾発力が付勢される摺動挟持片とを備え、固定挟持片と摺動挟持片で天板等を挟圧できるように形成され、前記袋支持部は、少なくとも旋回自在となるよう脚筒材に装着されたことを特徴とする着脱式簡易屑入れ。
【請求項２】
屑入れ本体の取付部によってテーブルや机の天板等の縁部を上下から挟圧することで、天板等に着脱自在に装着できるよう形成され、且つ屑入れ本体の袋支持部によってレジ袋等を利用した屑入れ袋を着脱自在に装着できるよう形成された着脱式簡易屑入れであって、前記取付部は、ガイド脚部の上部に挟持部を設けて構成され、ガイド脚部は、略円筒状の脚筒材と、この脚筒材の下端部に固着される下部固定片と、脚筒材に内装される弾発スプリングとを備え、挟持部は、脚筒材の上端部に固着される固定挟持片と、脚筒材にその長手方向に沿って摺動自在となるように装着されると共に、弾発スプリングによって固定挟持片に常時接近するように弾発力が付勢される摺動挟持片とを備え、固定挟持片と摺動挟持片で天板等を挟圧できるように形成され、前記袋支持部は、脚筒材に摺動自在に且つ旋回自在に装着される摺動支持部材と、この摺動支持部材に装着される下部支持枠材及び上部支持枠材とを備え、下部支持枠材及び上部支持枠材は、夫々が水平位置から上方に向って揺動自在となるように摺動支持部材に装着され、上部支持枠材は、その枠基部が下部支持枠材の枠基部の上部を覆うように形成され、上部支持枠材の枠基部と下部支持枠材の枠基部とで、屑入れ袋の上端周縁部分を自在に挟圧保持できるよう構成したことを特徴とする着脱式簡易屑入れ。
【考案の詳細な説明】
【技術分野】
【０００１】
本考案は、主に、テーブルや机の天板等の縁部にワンタッチで装着できると共に、コンビニやスーパー等の販売店で提供されるレジ袋等を屑入れ袋として利用でき、この屑入れ袋内に使用済みティッシュペーパー等の比較的小さなゴミ等をスムーズに入れられるように工夫した着脱式簡易屑入れの改良に関するものである。
【背景技術】
【０００２】
従来、この種の着脱式簡易屑入れとしては種々のものが提案されており、例えば、特許文献１のような卓上ゴミ袋取付装置が開示されている。
これは、ゴミ袋を入口が開いた状態に装着する枠機構と、前記ゴミ袋の入口を上方に向けるとともに卓の下側に部分的に潜り込ませた状態で前記枠機構を卓の縁に固定する固定手段とを具備するものである。
【０００３】
しかしながら、このような卓上ゴミ袋取付装置にあっては、枠機構を卓の下側に部分的に潜り込ませた状態で卓の縁に固定するため、枠機構が卓と略同じ高さに位置するようになると共に、枠機構が卓の側方に大きく突出した状態となり、外観上の体裁があまり良くない難点や、枠機構自体が邪魔となる難点等があった。
更に、枠機構の左右に固定手段が夫々独立した状態で設けられているため、卓上ゴミ袋取付装置の卓の縁への取付け、取外しがスムーズに行い難い難点があった。
しかも、その不使用時にあっては、小型コンパクトとならない難点等もあった。
そこで、本願考案者は、前述の如き難点等を解消できるようにすると共に、その装着状態が安定的となり、構成が比較的簡素で、量産に適し、経済的で、耐久性に優れ、取扱いが簡単で、使い勝手の優れた着脱式簡易屑入れを提供すべく特許文献２のような着脱式簡易屑入れを案出した。
【０００４】
【特許文献１】特開２０００−３０９４０２
【特許文献２】実用新案登録第３１２１６７０号
【考案の開示】
【考案が解決しようとする課題】
【０００５】
そして、本願考案者は、前述のような着脱式簡易屑入れに関する研究、開発を継続しており、このたび、着脱式簡易屑入れの取付け、取外しがよりスムーズに行え、より小型コンパクトとなり、装着状態がより安定的で、構成がより簡素で、量産に適し、経済的で、耐久性に優れ、取扱いが簡単で、より使い勝手の優れた着脱式簡易屑入れを提供できるようにした。
【課題を解決するための手段】
【０００６】
しかして、前述の如き課題を達成すべく、請求項１記載の着脱式簡易屑入れにあっては、屑入れ本体Ａの取付部Ａ１によってテーブルや机の天板Ｃ等の縁部を上下から挟圧することで、天板Ｃ等に着脱自在に装着できるよう形成され、且つ屑入れ本体Ａの袋支持部Ａ２によってレジ袋等を利用した屑入れ袋Ｂを着脱自在に装着できるよう形成された着脱式簡易屑入れであって、前記取付部Ａ１は、ガイド脚部１ａの上部に挟持部１ｂを設けて構成され、ガイド脚部１ａは、脚筒材２と、この脚筒材２に内装される弾発スプリング５とを備え、挟持部１ｂは、脚筒材２の上端部に固着される固定挟持片６と、長手方向に沿って摺動自在となるよう脚筒材２に装着されると共に、弾発スプリング５によって固定挟持片６に常時接近するように弾発力が付勢される摺動挟持片８とを備え、固定挟持片６と摺動挟持片８で天板Ｃ等を挟圧できるように形成され、前記袋支持部Ａ２は、少なくとも旋回自在となるよう脚筒材２に装着する手段を採用した。
【０００７】
また、請求項２記載の着脱式簡易屑入れにあっては、屑入れ本体Ａの取付部Ａ１によってテーブルや机の天板Ｃ等の縁部を上下から挟圧することで、天板Ｃ等に着脱自在に装着できるよう形成され、且つ屑入れ本体Ａの袋支持部Ａ２によってレジ袋等を利用した屑入れ袋Ｂを着脱自在に装着できるよう形成された着脱式簡易屑入れであって、前記取付部Ａ１は、ガイド脚部１ａの上部に挟持部１ｂを設けて構成され、ガイド脚部１ａは、略円筒状の脚筒材２と、この脚筒材２の下端部に固着される下部固定片４と、脚筒材２に内装される弾発スプリング５とを備え、挟持部１ｂは、脚筒材２の上端部に固着される固定挟持片６と、脚筒材２にその長手方向に沿って摺動自在となるように装着されると共に、弾発スプリング５によって固定挟持片６に常時接近するように弾発力が付勢される摺動挟持片８とを備え、固定挟持片６と摺動挟持片８で天板Ｃ等を挟圧できるように形成され、前記袋支持部Ａ２は、脚筒材２に摺動自在に且つ旋回自在に装着される摺動支持部材２０と、この摺動支持部材２０に装着される下部支持枠材１５及び上部支持枠材１０とを備え、下部支持枠材１５及び上部支持枠材１０は、夫々が水平位置から上方に向って揺動自在となるように摺動支持部材２０に装着され、上部支持枠材１０は、その枠基部１１が下部支持枠材１５の枠基部１６の上部を覆うように形成され、上部支持枠材１０の枠基部１１と下部支持枠材１５の枠基部１６とで、屑入れ袋Ｂの上端周縁部分を自在に挟圧保持できるよう構成する手段を採用した。
【考案の効果】
【０００８】
従って、本考案の請求項１記載の着脱式簡易屑入れによれば、袋支持部Ａ２は、取付部Ａ１の挟持部１ｂより低い位置に配されるため、テーブルや机の天板Ｃより低い位置に屑入れ袋Ｂが隠れるようになり、外観上の体裁が良い着脱式簡易屑入れとなる。しかも、構成が簡素で、量産に適し、経済的となり、耐久性に優れ、取扱いが簡単で、より使い勝手の優れた着脱式簡易屑入れとなる。
【０００９】
特に、取付部Ａ１は、ガイド脚部１ａの上部に挟持部１ｂを設けて構成され、ガイド脚部１ａは、脚筒材２と、この脚筒材２に内装される弾発スプリング５とを備え、挟持部１ｂは、脚筒材２の上端部に固着される固定挟持片６と、長手方向に沿って摺動自在となるよう脚筒材２に装着されると共に、弾発スプリング５によって固定挟持片６に常時接近するように弾発力が付勢される摺動挟持片８とを備え、固定挟持片６と摺動挟持片８で天板Ｃ等を挟圧できるように形成されているので、手指（片手）によって摺動挟持片８を弾発スプリング５の弾発力に抗して固定挟持片６から離れるようにしておき、固定挟持片６と摺動挟持片８の間に天板Ｃの縁部が収まったときに、弾発スプリング５の弾発力を開放するだけのワンタッチ操作で、着脱式簡易屑入れを天板Ｃの任意の縁部にスムーズに且つ安定的に装着できるようになる。しかも、取付部Ａ１は構成がシンプルで、コンパクトとなり、更に、弾発スプリング５が脚筒材２内に隠れるようになり、外観上の体裁がより優れたものとなる。
【００１０】
そして、袋支持部Ａ２は、少なくとも旋回自在となるよう脚筒材２に装着してあるので、その不使用時にあっては、袋支持部Ａ２と屑入れ袋Ｂが邪魔にならないように袋支持部Ａ２を旋回させて、これらが天板Ｃの下方に隠れるようにしたり、或いは、袋支持部Ａ２を旋回させて、その半分が天板Ｃの下方に隠れるようにすると共に、残りの半分が天板Ｃの側方に突出するようにして、天板Ｃ上のゴミ等を誘導してその端縁から屑入れ袋Ｂ内に入れ易くしたり、或いは、袋支持部Ａ２を旋回させて、全てが天板Ｃの側方に突出するようにして、ゴミ等を屑入れ袋Ｂ内に投入し易くしたりすることができるようになる。
【００１１】
また、請求項２記載の着脱式簡易屑入れによれば、袋支持部Ａ２は、取付部Ａ１の挟持部１ｂより低い位置に配されるため、テーブルや机の天板Ｃより低い位置に屑入れ袋Ｂが隠れるようになり、外観上の体裁が良い着脱式簡易屑入れとなる。しかも、構成が簡素で、量産に適し、経済的となり、耐久性に優れ、取扱いが簡単で、より使い勝手の優れた着脱式簡易屑入れとなる。
【００１２】
特に、取付部Ａ１は、ガイド脚部１ａの上部に挟持部１ｂを設けて構成され、ガイド脚部１ａは、略円筒状の脚筒材２と、この脚筒材２の下端部に固着される下部固定片４と、脚筒材２に内装される弾発スプリング５とを備え、挟持部１ｂは、脚筒材２の上端部に固着される固定挟持片６と、脚筒材２にその長手方向に沿って摺動自在となるように装着されると共に、弾発スプリング５によって固定挟持片６に常時接近するように弾発力が付勢される摺動挟持片８とを備え、固定挟持片６と摺動挟持片８で天板Ｃ等を挟圧できるように形成されているので、手指（片手）によって摺動挟持片８を弾発スプリング５の弾発力に抗して固定挟持片６から離れるようにしておき、固定挟持片６と摺動挟持片８の間に天板Ｃの縁部が収まったときに、弾発スプリング５の弾発力を開放するだけのワンタッチ操作で、着脱式簡易屑入れを天板Ｃの任意の縁部にスムーズに且つ安定的に装着できるようになる。しかも、取付部Ａ１は構成がシンプルで、コンパクトとなり、更に、弾発スプリング５が脚筒材２内に隠れるようになり、外観上の体裁がより優れたものとなる。
【００１３】
そして、袋支持部Ａ２は、脚筒材２に摺動自在に且つ旋回自在に装着される摺動支持部材２０と、この摺動支持部材２０に装着される下部支持枠材１５及び上部支持枠材１０とを備えているので、その不使用時にあっては、袋支持部Ａ２と屑入れ袋Ｂが邪魔にならないように袋支持部Ａ２を旋回させて、これらが天板Ｃの下方に隠れるようにしたり、或いは、袋支持部Ａ２を旋回させて、その半分が天板Ｃの下方に隠れるようにすると共に、残りの半分が天板Ｃの側方に突出するようにして、天板Ｃ上のゴミ等を誘導してその端縁から屑入れ袋Ｂ内に入れ易くしたり、或いは、袋支持部Ａ２を旋回させて、全てが天板Ｃの側方に突出するようにして、ゴミ等を屑入れ袋Ｂ内に投入し易くしたりすることができるようになる。しかも、天板Ｃの下方に屑入れ袋Ｂが隠れている状態にあっても、ガイド脚部１ａにより袋支持部Ａ２と天板Ｃ裏面との間に十分なゴミ投入空間が設けられるようになっている。
更に、摺動支持部材２０は、脚筒材２に摺動自在に且つ旋回自在に装着されているので、その販売時や不使用時等に於いて、挟持部１ｂを袋支持部Ａ２の中央部分にコンパクトに収まるように配することが可能となり、省スペースを実現できるようになる。
【００１４】
加えて、下部支持枠材１５及び上部支持枠材１０は、夫々が水平位置から上方に向って揺動自在となるように摺動支持部材２０に装着され、上部支持枠材１０は、その枠基部１１が下部支持枠材１５の枠基部１６の上部を覆うように形成され、上部支持枠材１０の枠基部１１と下部支持枠材１５の枠基部１６とで、屑入れ袋Ｂの上端周縁部分を自在に挟圧保持できるよう構成されているので、屑入れ袋Ｂの袋支持部Ａ２への装着安定性が増すようになると共に、屑入れ袋Ｂの着脱が誰でも簡単に且つ確実に行えるようになる。しかも、下部支持枠材１５及び上部支持枠材１０の揺動によって、着脱式簡易屑入れ自体をよりコンパクトに構成できるようになり、その保管スペースや販売スペースを有効に利用できるようになる。
【考案を実施するための最良の形態】
【００１５】
以下、本考案を図示例に基づいて説明すると、次の通りである。
本考案の着脱式簡易屑入れは、例えば、食卓のテーブルや、オフィスの机や、学校の机や、ミシンの作業テーブルや、その他の任意の場所（水平に張り出している棚状のものも含まれる）にワンタッチで手軽に装着（及び簡単に取外し）できて、しかも、コンビニやスーパー等の販売店で提供されるレジ袋（例えば、提げ手付きの樹脂製袋や提げ手無しの樹脂製袋）等（或いは、紙製袋でも良い）を屑入れ袋Ｂとして利用でき、この屑入れ袋Ｂ内に使用済みティッシュペーパーや消しゴムカス等の比較的小さくて軽量で細かなゴミ等を簡単に且つスムーズに処理できるようにしたものである。
すなわち、屑入れ本体Ａの取付部Ａ１によって天板Ｃ等の縁部を上下から挟圧することで、天板Ｃ等に着脱自在に装着できるよう形成され、且つ屑入れ本体Ａの袋支持部Ａ２にレジ袋等を利用した屑入れ袋Ｂが着脱自在に装着できるよう形成されている。
そして、前記取付部Ａ１は、ガイド脚部１ａの上部に挟持部１ｂを設けて構成され、ガイド脚部１ａは、脚筒材２と、この脚筒材２に内装される弾発スプリング５とを備え、挟持部１ｂは、脚筒材２の上端部に固着される固定挟持片６と、長手方向に沿って摺動自在となるよう脚筒材２に装着されると共に、弾発スプリング５によって固定挟持片６に常時接近するように弾発力が付勢される摺動挟持片８とを備え、固定挟持片６と摺動挟持片８で天板Ｃ等を挟圧できるように形成され、前記袋支持部Ａ２は、少なくとも旋回自在となるよう脚筒材２に装着されたものである。
【００１６】
また、本考案の着脱式簡易屑入れにあっては、取付部Ａ１は、ガイド脚部１ａの上部に挟持部１ｂを設けて構成され、ガイド脚部１ａは、略円筒状の脚筒材２と、この脚筒材２の下端部に固着される下部固定片４と、脚筒材２に内装される弾発スプリング５とを備え、挟持部１ｂは、脚筒材２の上端部に固着される固定挟持片６と、脚筒材２にその長手方向に沿って摺動自在となるように装着されると共に、弾発スプリング５によって固定挟持片６に常時接近するように弾発力が付勢される摺動挟持片８とを備え、固定挟持片６と摺動挟持片８で天板Ｃ等を挟圧できるように形成されている。
更に、前記袋支持部Ａ２は、脚筒材２に摺動自在に且つ旋回自在に装着される摺動支持部材２０と、この摺動支持部材２０に装着される下部支持枠材１５及び上部支持枠材１０とを備え、下部支持枠材１５及び上部支持枠材１０は、夫々が水平位置から上方に向って揺動自在となるように摺動支持部材２０に装着され、上部支持枠材１０は、その枠基部１１が下部支持枠材１５の枠基部１６の上部を覆うように形成され、上部支持枠材１０の枠基部１１と下部支持枠材１５の枠基部１６とで、屑入れ袋Ｂの上端周縁部分を自在に挟圧保持できるよう構成されている。
【実施例】
【００１７】
屑入れ本体Ａの取付部Ａ１は、例えば、図に示すようにガイド脚部１ａと挟持部１ｂとからなり、ガイド脚部１ａは、脚筒材２と、下部固定片４と、弾発スプリング５とで構成され、挟持部１ｂは、固定挟持片６と、摺動挟持片８とで構成されている。
【００１８】
そして、前記脚筒材２は、例えば、比較的強度が高く軽量となる適宜合成樹脂材によって、略円筒状に形成され、その外周壁部分には、１８０度間隔で二本の細長切欠溝３が切設されている。
尚、脚筒材２は、例えば、適宜金属製のパイプ材によって形成されたものでも良いし、適宜複合材によって形成したものであっても良いし、また、切欠溝３の配設位置や数やその他具体的構成等も適宜自由に設定変更できるものである。
【００１９】
前記下部固定片４は、例えば、適宜合成樹脂材（或いは、金属材や、複合材でも良い）で形成され、脚筒材２の下端部分に固着されている。尚、下部固定片４は、脚筒材２に一体的に形成したものであっても良い。すなわち、脚筒材２に内装される弾発スプリング５や、脚筒材２に外装される摺動支持部材２０の下部ストッパーとなるように設けられたものであれば良い。
【００２０】
前記弾発スプリング５は、例えば、適宜金属線材によってコイルスプリング状に形成され、脚筒材２内に縮装されて、脚筒材２に外装される摺動挟持片８を固定挟持片６がわに常時弾発的に接近せしめられるように形成されている。
【００２１】
前記固定挟持片６は、例えば、適宜合成樹脂材（或いは、金属材や、複合材でも良い）で形成され、その基端がわ部分が脚筒材２の上端部分に固着されて、天板Ｃ等の上面に配置できるように構成されている。尚、この固定挟持片６の下面には、天板Ｃ等を傷付けないようにすると共に、滑り止め効果が期待できるような発泡樹脂製（或いは、ゴム製等）の保護シート７が接着されている。
【００２２】
前記摺動挟持片８は、例えば、適宜合成樹脂材（或いは、金属材や、複合材でも良い）で形成され、その基端がわ部分に脚筒材２が挿通可能となるような挿通孔９が穿設されている。しかも、この挿通孔９には、その中心部分を通過するような隔壁片９ａが配されており、この隔壁片９ａが脚筒材２に切設した切欠溝３内を摺動できるように形成されている。すなわち、摺動挟持片８は、脚筒材２に対してその長手方向に摺動自在となると共に、脚筒材２に対して旋回不能となるように形成されており、固定挟持片６に対して常に平行な状態で移動できるように構成してある。
【００２３】
屑入れ本体Ａの袋支持部Ａ２は、例えば、図に示すように脚筒材２に外装されて脚筒材２に対して長手方向に摺動自在で且つ旋回自在となる摺動支持部材２０と、水平状態から上方に向って揺動自在となるように摺動支持部材２０に装着される上部支持枠材１０及び下部支持枠材１５とで構成されている。
【００２４】
そして、前記上部支持枠材１０は、例えば、比較的強度が高く軽量となる適宜合成樹脂材（或いは、金属材や、複合材でも良い）によって、平面略Ｃ字状に形成される枠基部１１と、この枠基部１１両端部分から側方に平行に突出するように連設される一対の腕片１２と、この一対の腕片１２の先端部分を連結するように配される略丸軸状の取付軸１３とで構成されている。
【００２５】
また、前記下部支持枠材１５は、例えば、比較的強度が高く軽量となる適宜合成樹脂材（或いは、金属材や、複合材でも良い）によって、平面略Ｃ字状に形成される枠基部１６と、この枠基部１１両端部分から側方に平行に突出するように連設される一対の腕片１７とで構成されており、一対の腕片１７の基端がわ上縁部分には、前記上部支持枠材１０の取付軸１３を収容するようにして係止される略Ｕ溝状の取付溝１８が夫々切設されている。
ところで、前記上部支持枠材１０の枠基部１１は、その縦断面が略逆Ｔ字状に形成されていると共に、前記下部支持枠材１５の枠基部１６は、その縦断面が略逆Ｕ字状に形成されており、上部支持枠材１０の枠基部１１と下部支持枠材１５の枠基部１６とが、係脱自在に嵌合するように形成されており、屑入れ袋Ｂをより確実に挟圧、保持できるようになっている。しかも、上部支持枠材１０の枠基部１１と下部支持枠材１５の枠基部１６の前方には、指掛け小片が夫々突設されており、上部支持枠材１０の枠基部１１と下部支持枠材１５の枠基部１６との係脱操作が容易に行えるように形成されている。尚、上部支持枠材１０の枠基部１１と下部支持枠材１５の枠基部１６とには、係脱突起とこれに係脱自在に係合するような係脱溝とを設けておいて、枠基部１１、１６相互の係合状態を維持できるようにしてあっても良い。
【００２６】
更に、前記摺動支持部材２０は、例えば、比較的強度が高く軽量となる適宜合成樹脂材（或いは、金属材や、複合材でも良い）によって形成され、その中央には脚筒材２が摺動自在に且つ旋回自在に挿通される略円形の摺動孔２１が穿設され、その後方がわには、前記上部支持枠材１０の取付軸１３が収容されるように係止される略Ｕ溝状の軸取付溝２２が形成され、その前方がわ下部には、係止突片２３が突設されており、上部支持枠材１０及び下部支持枠材１５が水平状態を維持できるように形成されている。
【００２７】
ところで、着脱式簡易屑入れの具体的構成、形状、寸法、材質、屑入れ本体Ａの具体的構成、形状、寸法、材質、取付部Ａ１の具体的構成、形状、寸法、材質、袋支持部Ａ２の具体的構成、形状、寸法、材質、ガイド脚部１ａの具体的構成、形状、寸法、材質、挟持部１ｂの具体的構成、形状、寸法、材質、脚筒材２の具体的構成、形状、寸法、材質、切欠溝３の具体的構成、形状、寸法、下部固定片４の具体的構成、形状、寸法、材質、弾発スプリング５の具体的構成、形状、寸法、材質、固定挟持片６の具体的構成、形状、寸法、材質、保護シート７の具体的構成、形状、寸法、材質、摺動挟持片８の具体的構成、形状、寸法、材質、挿通孔９の具体的構成、形状、寸法、配設位置、隔壁片９ａの具体的構成、形状、寸法、材質、配設位置、上部支持枠材１０の具体的構成、形状、寸法、材質、枠基部１１の具体的構成、形状、寸法、材質、腕片１２の具体的構成、形状、寸法、材質、取付軸１３の具体的構成、形状、寸法、材質、配設位置、下部支持枠材１５の具体的構成、形状、寸法、材質、枠基部１６の具体的構成、形状、寸法、材質、腕片１７の具体的構成、形状、寸法、材質、取付溝１８の具体的構成、形状、寸法、材質、配設位置、摺動支持部材２０の具体的構成、形状、寸法、材質、摺動孔２１の具体的構成、形状、寸法、軸取付溝２２の具体的構成、形状、寸法、配設位置、係止突片２３の具体的構成、形状、寸法、材質、配設位置、屑入れ袋Ｂの具体的構成、形状、寸法、材質等は図示例のもの等に限定されることなく適宜自由に設定、変更できるものである。
【図面の簡単な説明】
【００２８】
【図１】本考案の着脱式簡易屑入れを例示する分解斜視図である。
【図２】本考案の着脱式簡易屑入れを例示する斜視図である。
【図３】本考案の他の着脱式簡易屑入れを例示する一部切欠側面図である。
【符号の説明】
【００２９】
Ａ      屑入れ本体
Ａ１    取付部
Ａ２    袋支持部
１ａ    ガイド脚部
１ｂ    挟持部
２      脚筒材
３      切欠溝
４      下部固定片
５      弾発スプリング
６      固定挟持片
７      保護シート
８      摺動挟持片
９      挿通孔
９ａ    隔壁片
１０    上部支持枠材
１１    枠基部
１２    腕片
１３    取付軸
１５    下部支持枠材
１６    枠基部
１７    腕片
１８    取付溝
２０    摺動支持部材
２１    摺動孔
２２    軸取付溝
２３    係止突片
Ｂ      屑入れ袋
Ｃ      天板
【図１】
0003130815.tif 000003
【図２】
0003130815.tif 000004
【図３】
0003130815.tif 000005